(57)【要約】【課題】  常に傘本体との一体化が図られることによって、これを使用しないとき、すなわち傘を差して使うという本来の使用状態のときにも、その携行がわずらわしくない構造を提案するものである。また更に併せてこのような機能の付加に伴い必要とされる部材を、更に機能的・意匠的な効果を高めて利用できるようにして、更なる実用性、趣味性、ファッション性の向上を図り得る携行を容易にした傘並びに傘に用いる携行具を提供する。【解決手段】  傘本体１の握り部１３または石突１２のいずれかに対し、肩下げストラップ２１が引き出し自在とされたリール部２２が設けられ、肩下げストラップ２１を引き出してその先端を前記リール部２２が設けられていない握り部１３もしくは石突１２に対し連結し得るように構成したことを特徴とする。【選択図】図１
2006192050.tif 000002
【特許請求の範囲】
【請求項１】
傘本体の握り部または石突のいずれかに対し、肩下げストラップが引き出し自在とされたリール部が設けられ、肩下げストラップを引き出してその先端を前記リール部が設けられていない握り部もしくは石突に対し連結し得るように構成したことを特徴とする携行を容易にした傘。
【請求項２】
前記リール部は、前記握り部側に設けられていることを特徴とする請求項１記載の携行を容易にした傘。
【請求項３】
前記石突には、傘本体を閉じた状態で垂れ落ちる雨滴を受ける雫受け具が設けられ、この雫受け具には前記肩下げストラップの先端の係止具が、係止される係止受部が具えられていることを特徴とする請求項２記載の携行を容易にした傘。
【請求項４】
前記雫受け具は吸水材を具えるとともに、装飾性を高める加飾部材を具え、この加飾部材は付け替え自在であることを特徴とする請求項３記載の携行を容易にした傘。
【請求項５】
前記傘本体の張り布の外側には、傘骨の一本の主骨に添う方向に巻取軸を内部に有した巻込ケースが設けられ、前記巻取軸に対し、カバーシートが引き出し自在に取り付けられていることを特徴とする請求項１、２、３または４記載の携行を容易にした傘。
【請求項６】
前記巻込ケースにおけるカバーシートの引出口には、引出口を通過するカバーシートに対し当接するように水切材が張設されていることを特徴とする請求項５記載の携行を容易にした傘。
【請求項７】
肩下げストラップと、この肩下げストラップを巻き取り自在に保持するリール部と、傘の握り部に対し取り付ける取付手段と、傘の石突に対し取り付け、閉じた傘の布の外側を垂れ落ちる雨滴を受ける雫受け具とを具えて成り、この雫受け具には係止受部が具えられ、前記肩下げストラップの先端に具えた係止具が係止されて使用されることを特徴とする傘に用いる携行具。
【発明の詳細な説明】
【技術分野】
【０００１】
本発明は雨傘、日傘に関するものであって、特にその携行を容易にした傘並びに傘に用いる携行具に係るものである。
【背景技術】
【０００２】
日常的に用いられている傘は、不使用時には、これを畳んだ状態で石突を下に向けて握り部を持ちながら携行する。このような態様では手荷物が増えた場合や、またはショッピングの際に品物を手に取って見る場合、更には荷物を持ちながら幼児を伴っている場合等では、傘を持つための手を空くようにする必要もしばしば生じている。
このような必要から従来から例えば特許文献１のように、肩掛け用のベルトを別途用意する手法の提案がなされている。しかしながらこのものはあくまで傘本体とは別体のものであり、携行の際に荷物となるし、常に傘の携行時にこのような肩掛け用のベルトを忘れずに携行するとは限らず、使い勝手の上で必ずしも万全なものとは言えない。
【０００３】
また石突に取り付ける傘用の雫受け具についても、例えば特許文献２のように先行技術があるものの、肩掛け用のベルトの取扱性を向上させるような構造のものではなかった。    
【特許文献１】特開２００２−３０６２２１号公報
【特許文献２】特開平８−３８２２９号公報
【発明の開示】
【発明が解決しようとする課題】
【０００４】
本発明はこのような背景を考慮してなされたものであって、常に傘本体との一体化が図られることによって、これを使用しないとき、すなわち傘を差して使うという本来の使用状態のときにも、その携行がわずらわしくない構造を提案するものである。また更に併せてこのような機能の付加に伴い必要とされる部材を、機能的・意匠的な効果を高めて利用できるようにして、更なる実用性、趣味性、ファッション性の向上を図り得る傘を提案しようとするものである。
【課題を解決するための手段】
【０００５】
すなわち請求項１記載の携行を容易にした傘は、傘本体の握り部または石突のいずれかに対し、肩下げストラップが引き出し自在とされたリール部が設けられ、肩下げストラップを引き出してその先端を前記リール部が設けられていない握り部もしくは石突に対し連結し得るように構成したことを特徴として成るものである。
【０００６】
また請求項２記載の携行を容易にした傘は、前記請求項１記載の要件に加え、前記リール部は、前記握り部側に設けられていることを特徴として成るものである。
【０００７】
更に請求項３記載の携行を容易にした傘は、前記請求項２記載の要件に加え、前記石突には、傘本体を閉じた状態で垂れ落ちる雨滴を受ける雫受け具が設けられ、この雫受け具には前記肩下げストラップの先端の係止具が、係止される係止受部が具えられていることを特徴として成るものである。
【０００８】
更にまた請求項４記載の携行を容易にした傘は、前記請求項３記載の要件に加え、前記雫受け具は吸水材を具えるとともに、装飾性を高める加飾部材を具え、この加飾部材は付け替え自在であることを特徴として成るものである。
【０００９】
更にまた請求項５記載の携行を容易にした傘は、前記請求項１、２、３または４記載の要件に加え、前記傘本体の張り布の外側には、傘骨の一本の主骨に添う方向に巻取軸を内部に有した巻込ケースが設けられ、前記巻取軸に対し、カバーシートが引き出し自在に取り付けられていることを特徴として成るものである。
【００１０】
更にまた請求項６記載の携行を容易にした傘は、前記請求項５記載の要件に加え、前記巻込ケースにおけるカバーシートの引出口には、引出口を通過するカバーシートに対し当接するように水切材が張設されていることを特徴として成るものである。
【００１１】
更にまた請求項７記載の傘に用いる携行具は、肩下げストラップと、この肩下げストラップを巻き取り自在に保持するリール部と、傘の握り部に対し取り付ける取付手段と、傘の石突に対し取り付け、閉じた傘の布の外側を垂れ落ちる雨滴を受ける雫受け具とを具えて成り、この雫受け具には係止受部が具えられ、前記肩下げストラップの先端に具えた係止具が係止されて使用されることを特徴として成るものである。
【発明の効果】
【００１２】
本発明の携行を容易にした傘は、上述した手段により以下のような効果を奏するものである。
すなわち請求項１記載の携行を容易にした傘によれば、引き出し自在な肩下げストラップが設けられているため、傘本体を閉じた状態での携行時に傘を手に持つ必要がなくなり、買物時の品物選択や会計の際、更に手荷物が増えた際などに傘を持っていることのわずらわしさが解消される。また肩下げストラップを収容したリール部は、傘本体に対し予め設けられているため、肩下げストラップをバッグ等に収容して携行する必要がなくてバッグ内等をかさばらせることなく、また持ち忘れてしまうこともない。
【００１３】
また請求項２記載の携行を容易にした傘によれば、リール部は握り部側に設けられているため、握り部を持って携行している際に段差部等にリール部をぶつけて破損させるような心配が少ない。
【００１４】
更に請求項３記載の携行を容易にした傘によれば、石突には、雫受け具が設けられるため、傘の張り布に付着した雨滴が垂れ落ちてこの雫受け具に収容され、床等を多量の雨滴で濡らすことが防止される。また雫受け具には、肩下げストラップの先端の係止具が係止される係止受部が具えられているため、傘本体の石突に肩下げストラップの先端を係止するための特殊形態の係止具を別途設ける必要がなく、肩下げストラップの石突への取り付けが迅速且つ確実に行い得るようになる。
【００１５】
更にまた請求項４記載の携行を容易にした傘によれば、雫受け具は吸水材が具えられているため、収容された雨水が再び流れ出ることが防がれる。また付け変え自在な加飾部材が具えられるため、趣向性が向上する。また汚れた際に加飾部材だけの交換が可能である。
【００１６】
更にまた請求項５記載の携行を容易にした傘によれば、引き出し自在なカバーシートにより濡れた傘を肩下げストラップで下げても張り布に付着した雨滴が衣服に付着しない。またカバーシートを別途携行する必要がない。
【００１７】
更にまた請求項６記載の携行を容易にした傘によれば、巻込ケースの引出口に設けられたカバーシートにより、カバーシートに付着した雨滴が除去されるため、雨滴が衣服に付着することが防止されるとともに、巻込ケース内に雨水が入り込むのが防止される。
【００１８】
更にまた請求項７記載の傘に用いる携行具によれば、引き出し自在な肩下げストラップが設けられているため、傘を閉じた状態での携行時に傘を手に持つ必要がなくなり、ショッピング時の品物選択や会計の際、更に手荷物が増えた際などに、傘を持っていることのわずらわしさが解消される。また肩下げストラップを収容したリール部は、傘に対し予め設けておくことができるため、肩下げストラップをバッグ等に収容して携行する必要がなくてバッグ内等をかさばらせることなく、また持ち忘れてしまうこともない。
更にリール部は握り部側に設けられているため、握り部を持って携行している際に段差部等にリール部をぶつけて破損させるような心配が少ない。
また石突には、雫受け具が設けられるため、傘の張り布に付着した雨滴が垂れ落ちてこの雫受け具に収容され、床等を多量の雨滴で濡らすことが防止される。また雫受け具には、肩下げストラップの先端の係止具が係止される係止受部が具えられているため、傘の石突に肩下げストラップの先端を係止するための特殊形態の係止具を別途設ける必要がなく、肩下げストラップの石突への取り付けが迅速且つ確実に行い得るようになる。
【発明を実施するための最良の形態】
【００１９】
本発明の最良の形態は、具体的には以下の実施例に述べる通りである。
【実施例１】
【００２０】
以下本発明を図示の実施の形態に基づき説明する。なお以下の実施例では携行を容易にした傘について説明することにより併せて傘に用いる携行具について説明する。
図中符号Ｕに示すものが本発明の携行を容易にした傘であり、このものは、図１、２等に示されるように、傘本体１と、携行具２と、雨滴が付着した本発明に係る携行を容易にした傘Ｕを保持した際に体に雨滴が付着することを防止する傘カバー具３とを具備して成る。このうち前記携行具２は、傘本体１の握り部１３に対し、肩下げストラップ２１が引き出し自在とされたリール部２２が設けられ、肩下げストラップ２１を引き出して先端の係止具２１ａを、石突１２に設けられている雫受け具２４の係止受部２５ｂに対し係止させて使用される。
【００２１】
前記傘本体１について説明する。傘本体１は、図２に示されるように傘本体１の中心に具えられる中棒１１と、この中棒１１の先端に取り付けられた石突１２と、中棒１１の手前側に取り付けられた握り部１３と、張り布１５と、この張り布１５が張られる主骨１４ａを主要部材とする傘骨１４と、を具えて成る。もちろんこの構成は周知慣用の傘の構成であり、一般的に流通しているその他の傘の構成を種々適用し得る。
【００２２】
まず前記携行具２について説明する。携行具２は、肩下げストラップ２１と、この肩下げストラップ２１を巻き取り自在に保持するリール部２２と、傘本体１の握り部１３に対し取り付ける取付手段２３と、傘本体１の石突１２に対し取り付け、閉じた状態の本発明に係る携行を容易にした傘Ｕの張り布１５の外側を垂れ落ちる雨滴を受ける雫受け具２４と、を具えて成る。
【００２３】
次に前記リール部２２は、図１（ｂ）に示されるようにケース２２ａの中心に対し巻取軸２２ｂが回転自在に設けられ、この巻取軸２２ｂに対し一端が固定された肩下げストラップ２１が、ケース２２ａより引き出し自在とされている。肩下げストラップ２１の先端の係止具２１ａには、ナスカン等が用いられる。なおケース２２ａ内には図示を省略する巻取バネ等を配した巻き取り機構が組み付けられるものであり、肩下げストラップ２１は常時巻き取り方向へ付勢されている。なお符号２２ｃで示すものは、巻取軸２２ｂの回転を止めるロックボタンであり、肩下げストラップ２１の長さを自由に調節することが可能である。また傘本体１への取付手段２３はバンド状部材を用いるもので、一例として先端に面状ファスナ２３ａが設けられ、これにより締結されるとともに、内面に滑り止めのゴム材２３ｂが張設される。
【００２４】
前記雫受け具２４について説明する。雫受け具２４は、図１（ｂ）及び図２に示されるように本体の嵌込リング２５と、この上に設けられる花冠状の加飾部材２６と、この加飾部材２６を止める押さえワッシャ２７と、この押さえワッシャ２７上に設けられる吸水材２８と、を含んで成る。なお本実施例では説明の便宜上加飾部材２６を設けた実施例を示したが、加飾部材２６を設けないで雫受け具２４を構成することも取扱性の面からは好ましい。
【００２５】
前記嵌込リング２５は、中心に石突挿入孔２５ａが設けられ、側部に肩下げストラップ２１の係止具２１ａを係止するためのリング状の係止受部２５ｂが設けられている。なお石突１２への固定は、一例としてゴム管２９により下部を支持するものであるが、その他蝶ネジなどで石突１２に対し締め付け固定するような構成を採ってもよい。また加飾部材２６は、取り替え自在であり、本実施例のような花冠状のものの他、漫画等のキャラクター形状の物や動物形状の物、また更に幾何学的模様の物など種々のものを用意しておくことが可能である。また吸水材２８には軟性の発泡プラスチック等を適用する。
【００２６】
前記傘カバー具３について説明する。傘カバー具３は、図２、３に示されるように傘本体１の張り布１５の外側であって傘骨１４の主骨１４ａに添う方向に設けられる内部に巻取軸を有した巻込ケース３２と、前記巻取軸に対し、引き出し自在に取り付けられるカバーシート３１とから成る。
【００２７】
カバーシート３１は、一例として閉じた状態の傘本体１を一周し、更に少しオーバーラップし得るような長さを有するものを適用するが、傘本体１を二周等行い得る長さで形成することも可能であるし、ちょうど一周し得る長さで形成することも可能である。なお一例として前記巻込ケース３２内には、図示を省略する巻取バネ等を配した巻き取り機構が組み付けられるものであり、カバーシート３１は常時巻き取り方向へ付勢されている。
そしてカバーシート３１の先端には、傘本体１の主骨１４ａの自由端に係止するための環状ゴム製の係止具３１ａが設けられている。因みにこの係止具３１ａは、傘本体１の主骨１４ａの自由端に係止させる他、巻込ケース３２に掛止部を設けておき、そこに係止させるように構成することも可能である。
【００２８】
また巻込ケース３２のカバーシート３１の引出口３２ａには、図３の拡大図に示されるように、引出口３２ａを通過するカバーシート３１に対し当接するように水切材３４が張設されている。因みにこの水切材３４としては、軟性の発泡プラスチックや合成ゴム等が適用し得る。また巻込ケース３２の上部には、先端がキャップ状の上取付部３５が設けられ、これが主骨１４ａの自由端に嵌入されて係止される。一方巻込ケース３２の下部にも、下端がゴムバンド等の環状の下取付部３６が設けられ、これが雫受け具２４や石突１２に係止される。因みにこの下取付部３６は、一例として図３の拡大図に示すように巻込ケース３２の下端開口を塞ぐキャップ部３６ａから先端まで連通した排水孔３６ｂが設けられており、巻込ケース３２内へ溜まった雨水が排水し得るように構成されている。
なお上取付部３５もしくは下取付部３６の少なくともいずれか一方は、伸縮自在な素材または構成にしておくことが、種々のサイズの傘本体１に適用し得る点で好ましく、このような構成を採るにあたっては、上述したようなゴムバンド等を用いる他、入れ子状に嵌合した複数の棒状部材を用いて伸縮自在としてもよい。
【００２９】
本発明の携行を容易にした傘Ｕの一例は以上のような具体的形態を有するものであって、以下この使用態様について説明する。
（１）未使用時の状態
家等に保管した未使用時の状態は、図４（ａ）に示すように、肩下げストラップ２１はリール部２２に巻き取られた状態であり、またカバーシート３１も巻込ケース３２内の巻取軸３３に巻き取られた状態である。また因みに巻込ケース３２は、通常は傘本体１の張り布１５のヒダの間に隠れた状態とする。
【００３０】
（２）雨のまだ降っていない携行時の状態
例えば雨が降っていない状態での本発明に係る携行を容易にした傘Ｕの携行時には、図４（ｂ）に示すように、肩下げストラップ２１をリール部２２から引き出し、先端の係止具２１ａを雫受け具２４の係止受部２５ｂに掛け止める。そして肩に下げた状態で長さ調節を行い、リール部２２のロックボタン２２ｃで肩下げストラップ２１をリール部２２に巻き戻されないように固定する。もちろん肩下げストラップ２１は肩に吊り下げる他、腕や手に吊り下げるようにしてもよい。
【００３１】
（３）降雨時の携行を容易にした傘を差した状態
そして雨が降って使用する状態では、図４（ｃ）に示すように、肩下げストラップ２１はリール部２２に巻き戻した状態で、通常の傘と同様に傘本体１を開いて使用する。
【００３２】
（４）店等に入る状態
また携行を容易にした傘Ｕを差していた状態から、店に入ったり、電車等に乗る場合には、傘本体１を閉じ、その状態で図４（ｄ）に示すように、カバーシート３１を巻込ケース３２から引き出して、傘本体１の周面を一巻きして少しオーバーラップさせた状態で、主骨１４ａの自由端に先端の係止具３１ａを掛け止める。次いで図４（ｅ）に示すように、肩下げベルトをリール部２２から引き出し、上述したように先端の係止具２１ａを雫受け具２４の係止受部２５ｂに掛け止めて、長さ調節を行う。このように携行した場合には、例えば買物時の品物選択や会計の際、更に手荷物が増えた際などに携行を容易にした傘Ｕを持っていることのわずらわしさから解消される。
【図面の簡単な説明】
【００３３】
【図１】本発明の携行を容易にした傘の使用状態を示す斜視図（ａ）と本発明の携行具の分解斜視図（ｂ）である。
【図２】本発明の携行を容易にした傘を示す斜視図である。
【図３】傘カバー具を示す斜視図である。
【図４】本発明の携行を容易にした傘の使用態様を示す側面図である。
【符号の説明】
【００３４】
Ｕ        携行を容易にした傘
１        傘本体
２        携行具
３        傘カバー具
１１      中棒
１２      石突
１３      握り部
１４      傘骨
１４ａ    主骨
１５      張り布
２１      肩下げストラップ
２１ａ    係止具
２２      リール部
２２ａ    ケース
２２ｂ    巻取軸
２２ｃ    ロックボタン
２３      取付手段
２３ａ    面状ファスナ
２３ｂ    ゴム材
２４      雫受け具
２５      嵌込リング
２５ａ    石突挿入孔
２５ｂ    係止受部
２６      加飾部材
２７      押さえワッシャ
２８      吸水材
２９      ゴム管
３１      カバーシート
３１ａ    係止具
３２      巻込ケース
３２ａ    引出口
３３      巻取軸
３４      水切材
３５      上取付部
３６      下取付部
３６ａ    キャップ部
３６ｂ    排水孔
【図１】
2006192050.tif 000003
【図２】
2006192050.tif 000004
【図３】
2006192050.tif 000005
【図４】
2006192050.tif 000006